【手続補正書】
【提出日】平成28年5月24日(2016.5.24)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
モバイルデバイスにおいて基地局からの送信を受信することと、
前記送信を復号することと
を備え、前記送信は、基地局からのサブフレームの、少なくとも第１のシンボルにおけるデータ送信を含み、前記第１のシンボルは、前記サブフレームの先頭の最初のサブフレームシンボルであり、前記データ送信は、少なくとも前記第１のシンボルにおいてレガシ制御送信と多重化される、
方法。
【請求項２】
前記第１のシンボルは、レガシ制御情報を含み、
前記レガシ制御送信との前記データ送信の前記多重化は、少なくとも前記第１のシンボルにおける前記レガシ制御情報を、
物理ダウンリンク共有チャネル（ＰＤＳＣＨ）、または、
強化された物理ダウンリンク制御チャネル（ＥＰＤＣＣＨ）
のうちの少なくとも１つと多重化することを備える、請求項１に記載の方法。
【請求項３】
前記基地局からのインジケーションを受信することをさらに備え、
前記インジケーションは、前記データ送信が前記サブフレームの少なくとも前記第１のシンボルにおいて送られることを識別する、
請求項１に記載の方法。
【請求項４】
前記インジケーションを前記受信することは、
準静的に、
動的に、または
これらの組み合わせ
のうちの１つで行われる、請求項３に記載の方法。
【請求項５】
前記データ送信との前記多重化されたレガシ制御送信の生成は、ユニキャストデータ送信についてのみ行われる、
請求項１に記載の方法。
【請求項６】
前記レガシ制御送信は、
物理制御フォーマットインジケータチャネル（ＰＣＦＩＣＨ）、
物理ハイブリッド自動再送要求インジケータチャネル（ＰＨＩＣＨ）、または、
物理ダウンリンク制御チャネル（ＰＤＣＣＨ）
のうちの少なくとも１つを備える、請求項１に記載の方法。
【請求項７】
前記データ送信との前記レガシ制御送信の前記多重化は、少なくとも前記第１のシンボルにおいて前記データ送信に関連付けられた１つまたは複数のリソースエレメントをパンクチャリングすることと、前記１つまたは複数のパンクチャリングされたリソースエレメントにおいて前記レガシ制御送信の少なくとも一部分をスケジューリングすることとを備える、
請求項１に記載の方法。
【請求項８】
前記データ送信との前記レガシ制御送信の前記多重化は、前記レガシ制御送信の少なくとも一部分がスケジューリングされるための少なくとも前記第１のシンボルのリソースエレメントのセットの周囲で前記データ送信をレートマッチングすることを備える、
請求項１に記載の方法。
【請求項９】
前記データ送信との前記レガシ制御送信の前記多重化は、サブフレームのサブセットについてのみ行われる、
請求項８に記載の方法。
【請求項１０】
ワイヤレス通信の方法であって、
送信を生成すること、ここにおいて、前記送信は、サブフレームを含み、前記サブフレームの第１の部分は、レガシ制御情報に割り振られ、前記第１の部分は、少なくとも第１のシンボルを含み、前記第１のシンボルは、前記サブフレームの先頭の最初のサブフレームシンボルである、と、
少なくとも前記第１のシンボルにおいてデータを多重化すること、ここにおいて、前記データは、レガシ制御情報を含まない、と、
基地局からモバイルデバイスに前記送信を送ることと
を備える、方法。
【請求項１１】
前記第１のシンボルは、レガシ制御情報を含み、
前記多重化することは、前記第１のシンボルにおけるレガシ制御情報を、
物理ダウンリンク共有チャネル（ＰＤＳＣＨ）、または、
強化された物理ダウンリンク制御チャネル（ＥＰＤＣＣＨ）
のうちの少なくとも１つと多重化することを備える、請求項１０に記載の方法。
【請求項１２】
前記送信は、
物理制御フォーマットインジケータチャネル（ＰＣＦＩＣＨ）、
物理ハイブリッド自動再送要求インジケータチャネル（ＰＨＩＣＨ）、または、
物理ダウンリンク制御チャネル（ＰＤＣＣＨ）
のうちの少なくとも１つを含む、請求項１０に記載の方法。
【請求項１３】
前記多重化することは、
前記レガシ制御情報の少なくとも一部分の送信のために、少なくとも前記第１のシンボルにおいて前記送信に関連付けられた１つまたは複数のリソースエレメントをパンクチャリングすることを備える、
請求項１０に記載の方法。
【請求項１４】
前記送信を前記送ることは、
前記レガシ制御情報の少なくとも一部分のために確保された前記少なくとも第１のシンボルのリソースエレメントのセットの周囲で前記データ送信をスケジューリングすることを備える、
請求項１０に記載の方法。
【請求項１５】
確保は、サブフレームのサブセットについてのみ行われる、
請求項１４に記載の方法。
【請求項１６】
前記基地局が、前記モバイルデバイスへのインジケーションを送信することをさらに備え、
前記インジケーションは、前記データ送信が前記サブフレームの前記第１のシンボルにおいて送られることを識別する、請求項１０に記載の方法。
【請求項１７】
ワイヤレス通信のために構成された装置であって、前記装置は、
少なくとも１つのプロセッサと、
前記少なくとも１つのプロセッサに結合されたメモリと
を備え、前記少なくとも１つのプロセッサは、
モバイルデバイスにおいて基地局からの送信を受信することと、
前記送信を復号することと
を行うように構成され、前記送信は、基地局からのサブフレームの少なくとも第１のシンボルにおけるデータ送信を含み、前記第１のシンボルは、前記サブフレームの先頭の最初のサブフレームシンボルであり、前記データ送信は、少なくとも前記第１のシンボルにおけるレガシ制御送信と多重化される、
装置。
【請求項１８】
前記第１のシンボルは、レガシ制御情報を含み、
前記レガシ制御送信との前記データ送信の前記多重化は、少なくとも前記第１のシンボルにおける前記レガシ制御情報を、
物理ダウンリンク共有チャネル（ＰＤＳＣＨ）、または、
強化された物理ダウンリンク制御チャネル（ＥＰＤＣＣＨ）
のうちの少なくとも１つと多重化することを備える、請求項１７に記載の装置。
【請求項１９】
前記基地局からのインジケーションを受信するための前記少なくとも１つのプロセッサの構成をさらに備え、前記インジケーションは、前記データ送信が前記サブフレームの少なくとも前記第１のシンボルにおいて送られることを識別する、
請求項１７に記載の装置。
【請求項２０】
前記インジケーションを受信するための前記少なくとも１つのプロセッサの前記構成は、
準静的に、
動的に、または
これらの組み合わせ
のうちの１つで行われる、請求項１９に記載の装置。
【請求項２１】
前記データ送信との前記多重化されたレガシ制御送信の生成は、ユニキャストデータ送信についてのみ行われる、
請求項１７に記載の装置。
【請求項２２】
前記レガシ制御送信は、
物理制御フォーマットインジケータチャネル（ＰＣＦＩＣＨ）、
物理ハイブリッド自動再送要求インジケータチャネル（ＰＨＩＣＨ）、または、
物理ダウンリンク制御チャネル（ＰＤＣＣＨ）
のうちの少なくとも１つを備える、請求項１７に記載の装置。
【請求項２３】
前記データ送信との前記レガシ制御送信の前記多重化は、少なくとも前記第１のシンボルにおいて前記データ送信に関連付けられた１つまたは複数のリソースエレメントをパンクチャリングすることと、前記１つまたは複数のパンクチャリングされたリソースエレメントにおいて前記レガシ制御送信の少なくとも一部分をスケジューリングすることとを備える、
請求項１７に記載の装置。
【請求項２４】
前記データ送信との前記レガシ制御送信の前記多重化は、前記レガシ制御送信の少なくとも一部分がスケジューリングされるための少なくとも前記第１のシンボルのリソースエレメントのセットの周囲で前記データ送信をレートマッチングすることを備える、
請求項１７に記載の装置。
【請求項２５】
前記データ送信との前記レガシ制御送信の前記多重化は、サブフレームのサブセットについてのみ行われる、
請求項２４に記載の装置。
【請求項２６】
ワイヤレス通信のために構成された装置であって、前記装置は、
少なくとも１つのプロセッサと、
前記少なくとも１つのプロセッサに結合されたメモリと
を備え、前記少なくとも１つのプロセッサは、
送信を生成すること、ここにおいて、前記送信は、サブフレームを含み、前記サブフレームの第１の部分は、レガシ制御情報に割り振られ、前記第１の部分は、前記サブフレームの少なくとも第１のシンボルを含み、前記第１のシンボルは、前記サブフレームの先頭の最初のサブフレームシンボルである、と、
少なくとも前記第１のシンボルにおいてデータを多重化すること、ここにおいて、前記データは、レガシ制御情報を含まない、と、
基地局からモバイルデバイスに前記送信を送ることと
を行うように構成される、装置。
【請求項２７】
前記第１のシンボルは、レガシ制御情報を含み、
多重化するための前記少なくとも１つのプロセッサの前記構成は、前記第１のシンボルにおけるレガシ制御情報を、
物理ダウンリンク共有チャネル（ＰＤＳＣＨ）、または、
強化された物理ダウンリンク制御チャネル（ＥＰＤＣＣＨ）
のうちの少なくとも１つと多重化するための構成を備える、請求項２６に記載の装置。
【請求項２８】
多重化するための前記少なくとも１つのプロセッサの前記構成は、前記レガシ制御情報の少なくとも一部分の送信のために、少なくとも前記第１のシンボルにおいて前記送信に関連付けられた１つまたは複数のリソースエレメントをパンクチャリングするための構成を備える、
請求項２６に記載の装置。
【請求項２９】
前記送信を送るための前記少なくとも１つのプロセッサの前記構成は、前記レガシ制御情報の少なくとも一部分のために確保された前記少なくとも第１のシンボルのリソースエレメントのセットの周囲で前記送信をスケジューリングするための構成を備える、
請求項２６に記載の装置。
【請求項３０】
前記基地局が、前記モバイルデバイスへのインジケーションを送信するための前記少なくとも１つのプロセッサの構成をさらに備え、前記インジケーションは、前記送信が前記サブフレームの前記第１のシンボルにおいて送られることを識別する、
請求項２６に記載の装置。
【手続補正２】
【補正対象書類名】明細書
【補正対象項目名】００９１
【補正方法】変更
【補正の内容】
【００９１】
[00100]本開示の上記の説明は、当業者が本開示を実施または使用することを可能にするために提供される。本開示に対する様々な変更は、当業者には容易に明らかであり、本明細書で定義された包括的な原理は、本開示の精神または範囲から逸脱することなく他のバリエーションに適用され得る。従って、本開示は、本明細書で説明された例および設計に限定されることが意図されるものではなく、本明細書に開示される原理および新規の特徴と一致する最も広い範囲が付与されるべきものである。
以下に、本願出願の当初の特許請求の範囲に記載された発明を付記する。
［Ｃ１］
ワイヤレス通信の方法であって、
モバイルデバイスにおいて基地局からの送信を受信することと、
前記送信を復号することと
を備え、前記送信は、基地局からのサブフレームの、少なくとも第１のシンボルにおけるデータ送信を含み、前記データ送信は、少なくとも前記第１のシンボルにおいてレガシ制御送信と多重化される、
方法。
［Ｃ２］
前記第１のシンボルは、レガシ制御情報を含み、
前記レガシ制御送信との前記データ送信の前記多重化は、少なくとも前記第１のシンボルにおける前記レガシ制御情報を、
物理ダウンリンク共有チャネル（ＰＤＳＣＨ）、または、
強化された物理ダウンリンク制御チャネル（ＥＰＤＣＣＨ）
のうちの少なくとも１つと多重化することを備える、Ｃ１に記載の方法。
［Ｃ３］
前記基地局からのインジケーションを受信することをさらに備え、
前記インジケーションは、前記データ送信が前記サブフレームの少なくとも前記第１のシンボルにおいて送られることを識別する、
Ｃ１に記載の方法。
［Ｃ４］
前記インジケーションを前記受信することは、
準静的に、
動的に、または
これらの組み合わせ
のうちの１つで行われる、Ｃ３に記載の方法。
［Ｃ５］
前記データ送信との前記多重化されたレガシ制御送信の生成は、ユニキャストデータ送信についてのみ行われる、
Ｃ１に記載の方法。
［Ｃ６］
前記レガシ制御送信は、
物理制御フォーマットインジケータチャネル（ＰＣＦＩＣＨ）、
物理ハイブリッド自動再送要求インジケータチャネル（ＰＨＩＣＨ）、または、
物理ダウンリンク制御チャネル（ＰＤＣＣＨ）
のうちの少なくとも１つを備える、Ｃ１に記載の方法。
［Ｃ７］
前記データ送信との前記レガシ制御送信の前記多重化は、少なくとも前記第１のシンボルにおいて前記データ送信に関連付けられた１つまたは複数のリソースエレメントをパンクチャリングすることと、前記１つまたは複数のパンクチャリングされたリソースエレメントにおいて前記レガシ制御情報の少なくとも一部分をスケジューリングすることとを備える、
Ｃ１に記載の方法。
［Ｃ８］
前記データ送信との前記レガシ制御送信の前記多重化は、前記レガシ制御情報の少なくとも一部分がスケジューリングされるための少なくとも前記第１のシンボルのリソースエレメントのセットの周囲で前記データ送信をレートマッチングすることを備える、
Ｃ１に記載の方法。
［Ｃ９］
前記データ送信との前記レガシ制御送信の前記多重化は、サブフレームのサブセットについてのみ行われる、
Ｃ８に記載の方法。
［Ｃ１０］
ワイヤレス通信の方法であって、
送信を生成すること、ここにおいて、前記送信は、サブフレームを含み、前記サブフレームの第１の部分は、レガシ制御情報に割り振られ、前記第１の部分は、少なくとも第１のシンボル持続期間を含む、と、
少なくとも前記第１のシンボル持続期間においてデータを多重化すること、ここにおいて、前記データは、レガシ制御情報を含まない、と、
基地局からモバイルデバイスに前記送信を送ることと
を備える、方法。
［Ｃ１１］
前記第１のシンボル持続期間は、レガシ制御情報を含み、
前記多重化することは、前記第１のシンボルにおけるレガシ制御情報を、
物理ダウンリンク共有チャネル（ＰＤＳＣＨ）、または、
強化された物理ダウンリンク制御チャネル（ＥＰＤＣＣＨ）
のうちの少なくとも１つと多重化することを備える、Ｃ１０に記載の方法。
［Ｃ１２］
前記送信は、
物理制御フォーマットインジケータチャネル（ＰＣＦＩＣＨ）、
物理ハイブリッド自動再送要求インジケータチャネル（ＰＨＩＣＨ）、または、
物理ダウンリンク制御チャネル（ＰＤＣＣＨ）
のうちの少なくとも１つを含む、Ｃ１０に記載の方法。
［Ｃ１３］
前記多重化することは、
前記レガシ制御情報の少なくとも一部分の送信のために、少なくとも前記第１のシンボルにおいて前記データ送信に関連付けられた１つまたは複数のリソースエレメントをパンクチャリングすることを備える、
Ｃ１０に記載の方法。
［Ｃ１４］
前記データ送信を前記送ることは、
前記レガシ制御情報の少なくとも一部分のために確保された前記少なくとも第１のシンボルのリソースエレメントのセットの周囲で前記データ送信をスケジューリングすることを備える、
Ｃ１０に記載の方法。
［Ｃ１５］
前記確保は、サブフレームのサブセットについてのみ行われる、
Ｃ１４に記載の方法。
［Ｃ１６］
前記基地局が、前記モバイルデバイスへのインジケーションを送信することをさらに備え、
前記インジケーションは、前記データ送信が前記サブフレームの前記第１のシンボルにおいて送られることを識別する、Ｃ１０に記載の方法。
［Ｃ１７］
ワイヤレス通信のために構成された装置であって、前記装置は、
少なくとも１つのプロセッサと、
前記少なくとも１つのプロセッサに結合されたメモリと
を備え、前記少なくとも１つのプロセッサは、
モバイルデバイスにおいて基地局からの送信を受信することと、
前記送信を復号することと
を行うように構成され、前記送信は、基地局からのサブフレームの少なくとも第１のシンボルにおけるデータ送信を含み、前記データ送信は、少なくとも前記第１のシンボルにおけるレガシ制御送信と多重化される、
装置。
［Ｃ１８］
前記第１のシンボルは、レガシ制御情報を含み、
前記レガシ制御送信との前記データ送信の前記多重化は、少なくとも前記第１のシンボルにおける前記レガシ制御情報を、
物理ダウンリンク共有チャネル（ＰＤＳＣＨ）、または、
強化された物理ダウンリンク制御チャネル（ＥＰＤＣＣＨ）
のうちの少なくとも１つと多重化することを備える、Ｃ１７に記載の装置。
［Ｃ１９］
前記基地局からのインジケーションを受信するための前記少なくとも１つのプロセッサの構成をさらに備え、前記インジケーションは、前記データ送信が前記サブフレームの少なくとも前記第１のシンボルにおいて送られることを識別する、
Ｃ１７に記載の装置。
［Ｃ２０］
前記インジケーションを受信するための前記少なくとも１つのプロセッサの前記構成は、
準静的に、
動的に、または
これらの組み合わせ
のうちの１つで行われる、Ｃ１９に記載の装置。
［Ｃ２１］
前記データ送信との前記多重化されたレガシ制御送信の生成は、ユニキャストデータ送信についてのみ行われる、
Ｃ１７に記載の装置。
［Ｃ２２］
前記レガシ制御送信は、
物理制御フォーマットインジケータチャネル（ＰＣＦＩＣＨ）、
物理ハイブリッド自動再送要求インジケータチャネル（ＰＨＩＣＨ）、または、
物理ダウンリンク制御チャネル（ＰＤＣＣＨ）
のうちの少なくとも１つを備える、Ｃ１７に記載の装置。
［Ｃ２３］
前記データ送信との前記レガシ制御送信の前記多重化は、少なくとも前記第１のシンボルにおける前記データ送信に関連付けられた１つまたは複数のリソースエレメントをパンクチャリングすることと、前記１つまたは複数のパンクチャリングされたリソースエレメントにおける前記レガシ制御情報の少なくとも一部分をスケジューリングすることとを備える、
Ｃ１７に記載の装置。
［Ｃ２４］
前記データ送信との前記レガシ制御送信の前記多重化は、前記レガシ制御情報の少なくとも一部分がスケジューリングされるための少なくとも前記第１のシンボルのリソースエレメントのセットの周囲で前記データ送信をレートマッチングすることを備える、
Ｃ１７に記載の装置。
［Ｃ２５］
前記データ送信との前記レガシ制御送信の前記多重化は、サブフレームのサブセットについてのみ行われる、
Ｃ２４に記載の装置。
［Ｃ２６］
ワイヤレス通信のために構成された装置であって、前記装置は、
少なくとも１つのプロセッサと、
前記少なくとも１つのプロセッサに結合されたメモリと
を備え、前記少なくとも１つのプロセッサは、
送信を生成すること、ここにおいて、前記送信は、サブフレームを含み、前記サブフレームの第１の部分は、レガシ制御情報に割り振られ、前記第１の部分は、少なくとも第１のシンボル持続期間を含む、と、
少なくとも前記第１のシンボル持続期間においてデータを多重化すること、ここにおいて、前記データは、レガシ制御情報を含まない、と、
基地局からモバイルデバイスに前記送信を送ることと
を行うように構成される、装置。
［Ｃ２７］
前記第１のシンボル持続期間は、レガシ制御情報を含み、
多重化するための前記少なくとも１つのプロセッサの前記構成は、前記第１のシンボルにおけるレガシ制御情報を、
物理ダウンリンク共有チャネル（ＰＤＳＣＨ）、または、
強化された物理ダウンリンク制御チャネル（ＥＰＤＣＣＨ）
のうちの少なくとも１つと多重化するための構成を備える、Ｃ２６に記載の装置。
［Ｃ２８］
多重化するための前記少なくとも１つのプロセッサの前記構成は、前記レガシ制御情報の少なくとも一部分の送信のために、少なくとも前記第１のシンボルにおいて前記データ送信に関連付けられた１つまたは複数のリソースエレメントをパンクチャリングするための構成を備える、
Ｃ２６に記載の装置。
［Ｃ２９］
前記データ送信を送るための前記少なくとも１つのプロセッサの前記構成は、前記レガシ制御情報の少なくとも一部分のために確保された前記少なくとも第１のシンボルのリソースエレメントのセットの周囲で前記データ送信をスケジューリングするための構成を備える、
Ｃ２６に記載の装置。
［Ｃ３０］
前記基地局が、前記モバイルデバイスへのインジケーションを送信するための前記少なくとも１つのプロセッサの構成をさらに備え、前記インジケーションは、前記データ送信が前記サブフレームの前記第１のシンボルにおいて送られることを識別する、
Ｃ２６に記載の装置。